(57)【要約】【課題】充分な冷涼感を確保しつつ、使用感を向上させた空調寝具を提供することを目的とする。【解決手段】表面材１で覆われた通気性を有するクッション材２の内部に、表面に通気孔３ａを有する空路３を設けて、この空路３に除湿空気を供給するようにしたものであり、使用者と接する表面材１への除湿空気供給により、発汗により加湿された表面材１が乾燥する際、奪われる気化熱により、使用者に充分な冷涼感を与えるとともに、表面材１とクッション材２により使用感を向上させたものである。【選択図】  図１
2004321376.tif 000002
【特許請求の範囲】
【請求項１】
通気孔を有する伸縮自在な表面材と、この表面材で覆われた通気性を有するクッション材と、このクッション材の内部に設けた、表面に通気孔を有する空路と、この空路へ接続した除湿空気を供給する空調装置とを備えた空調寝具。
【請求項２】
空路は、弾力性を有しかつ複数に分岐されて構成されている請求項１に記載の空調寝具。
【請求項３】
空調装置は、温冷空気を併せて供給するようにした請求項１または２に記載の空調寝具。
【請求項４】
空調装置には、空気清浄機能を持たせた請求項１〜３のいずれか１項に記載の空調寝具。
【請求項５】
空調装置には、芳香機能を持たせた請求項１〜４のいずれか１項に記載の空調寝具。
【請求項６】
空調装置には、マイナスイオン発生装置を組み込んだ請求項１〜５のいずれか１項に記載の空調寝具。
【請求項７】
空調装置には、運転タイマー機能を持たせた請求項１〜６のいずれか１項に記載の空調寝具。
【請求項８】
表面材は、取り外し自在とした請求項１〜７のいずれか１項に記載の空調寝具。
【発明の詳細な説明】
【０００１】
【発明の属する技術分野】
本発明は、空調装置を有する抱き枕などの空調寝具に関するものである。
【０００２】
【従来の技術】
従来、空調寝具として、空調機能を有するものは知られている（例えば、特許文献１参照）。これは、空気を寝具内に送り込み表面材からの熱、水分を分散することにより、使用者に冷涼感を与えるものである。
【０００３】
【特許文献１】
特開２００２−１３６３９４号公報
【０００４】
【発明が解決しようとする課題】
しかしながら、前記従来の構成は、送り込まれた空気へ表面材からの熱、水分を分散するものであるため、空気による直接的な冷涼感ではない。
【０００５】
本発明は、除湿空気を供給して、充分な冷涼感を確保しつつ、使用感を向上させた空調寝具を提供することを目的とする。
【０００６】
【課題を解決するための手段】
前記目的を達成するために、本発明の空調寝具は、表面材で覆われた通気性を有するクッション材の内部に、表面に通気孔を有する空路を設けて、この空路に除湿空気を供給するようにしたものである。
【０００７】
これにより、使用者と接する表面材へ除湿空気が供給され、発汗により加湿された表面材が乾燥する際に奪われる気化熱により、使用者に充分な冷涼感を与えるとともに、表面材とクッション材により使用感を向上させたものである。
【０００８】
【発明の実施の形態】
請求項１に記載の発明は、通気孔を有する伸縮自在な表面材と、この表面材で覆われた通気性を有するクッション材と、このクッション材の内部に設けた、表面に通気孔を有する空路と、この空路へ接続した除湿空気を供給する空調装置とを備えた空調寝具としたことにより、使用者と接する表面材へ除湿空気が供給され、発汗により加湿された表面材が乾燥する際に奪われる気化熱により、使用者に充分な冷涼感を与えるとともに、表面材とクッション材により使用感が向上するものである。
【０００９】
請求項２に記載の発明は、空路は、弾力性を有しかつ複数に分岐されて構成されている請求項１に記載の空調寝具としたことにより、寝具としてのクッション性を維持でき、さらに使用感が高まるとともに、使用者の体圧により空路が塞がれる危険性を分散する効果が得られるものである。
【００１０】
請求項３に記載の発明は、空調装置は、温冷空気を併せて供給するようにした請求項１または２に記載の空調寝具としたことにより、使用者に冷涼感だけでなく、温熱感やさらに強い冷涼感を与える効果が得られる。
【００１１】
請求項４に記載の発明は、空調装置には、空気清浄機能を持たせた請求項１〜３のいずれか１項に記載の空調寝具としたことにより、清浄な空気の供給が常に行われ、より快適な使用ができる。
【００１２】
請求項５に記載の発明は、空調装置には、芳香機能を持たせた請求項１〜４のいずれか１項に記載の空調寝具としたことにより、使用者が好みの芳香成分を供給することにより、より快適な使用ができる。
【００１３】
請求項６に記載の発明は、空調装置には、マイナスイオン発生装置を組み込んだ請求項１〜５のいずれか１項に記載の空調寝具としたことにより、マイナスイオンを供給することができ、使用者により高い満足感を与えることができる。
【００１４】
請求項７に記載の発明は、空調装置には、運転タイマー機能を持たせた請求項１〜６のいずれか１項に記載の空調寝具としたことにより、予め寝具を快適な状態にすることや、消し忘れといった無駄な運転を防止することができる。
【００１５】
請求項８に記載の発明は、表面材は、取り外し自在とした請求項１〜７のいずれか１項に記載の空調寝具としたことにより、一番汚れやすい表面材を取り外すことで洗濯や、交換が可能となり、快適に長期間使用することができる。
【００１６】
【実施例】
以下、本発明の実施例について、図面を参照しながら説明する。
【００１７】
（実施例１）
図１は、本発明の実施例１における空調寝具として、枕、特に抱き枕を例として示したものである。
【００１８】
図において、１は無数の通気孔１ａが開口している伸縮自在な表面材で、肌触りの良さを配慮した繊維で袋状に形成されている。２はこの表面材１で覆われた通気性を有する発泡ビーズで構成されたクッション材で、空調寝具の内部を構成するものである。３はクッション材２の内部に設けた、表面に通気孔３ａを有する空路で、可撓性のパイプなどより構成されている。４は空路３の端部３ｂに着脱自在に接続されている送風管である。５は送風管４に連結自在に接続した空調装置で、除湿剤を内蔵しており除湿機能を有するものである。
【００１９】
上記実施例における空調寝具によれば、空調装置５から送風管４を通して送られる除湿空気は、寝具内部に構成された空路３を介して寝具内部に供給される。供給された除湿空気は、空路３の通気孔３ａから通気性を有するクッション材２を通して、無数の通気孔１ａが開口している表面材１まで供給される。そして、通気孔１ａを介して使用者まで供給されるものである。一方、使用者は表面材１の表面に接触した状態で使用するので、使用者と接触する表面材１には、水分と熱分が供与蓄積されることとなる。しかし、表面材１へ供給される除湿空気により、乾燥、除熱されることとなり、使用者は熱分の分散と、乾燥時に奪われる気化熱により、常に冷涼感を感じることができるものである。
【００２０】
（実施例２）
図２は本発明の実施例２における空調寝具を示したものである。
【００２１】
本実施例において、実施例１との相違は、空路３が、弾力性を有しかつ複数に分岐されて構成されていることである。本実施例では空路３を伸縮自在な材料で３本構成している。他は実施例１と同じである。
【００２２】
これにより、空路３が弾力性を有しているため、寝具としてのクッション性を維持でき、さらに使用感が高まるとともに、空路３が複数に分岐されているため、使用者の体圧により空路３が塞がれる危険性を分散する効果を得ているものである。
【００２３】
（実施例３）
図３は本発明の実施例３における空調寝具の空調装置を示したものである。
【００２４】
本実施例においては、図に示すように、空調装置５は、内部に除湿装置５ａと、ペルチェ素子による温冷空気を作成する温冷装置５ｂを装備している。そして、温冷装置５ｂは除湿装置５ａの上流側に配置している。なお、空調寝具としての構成は、実施例１または２と同じである。
【００２５】
上記構成によれば、予め温冷装置５ｂで温風または冷風となった空気ｂは、下流側に構成された除湿装置５ａにより除湿される。特に冷風を作成する際、結露水が副産物として生じるが、除湿装置５ａにより結露水が除去されることとなり、より快適な空気を寝具へ送り込むことが可能となる。また温風を送ることで、暖房器具としても用いることが可能となる。このように、空調装置５からは、除湿空気ａと、温風または冷風の空気ｂが寝具へ供給されるものである。
【００２６】
（実施例４）
図４は本発明の実施例４における空調寝具の空調装置を示したものである。
【００２７】
本実施例においては、図に示すように、空調装置５は、内部に除湿装置５ａと、空気清浄装置５ｃを装備している。そして、空気清浄装置５ｃは、外部から交換可能なフィルターが設けられており、除湿装置５ａの上流側に配置している。なお、空調寝具としての構成は、実施例１または２と同じである。
【００２８】
上記構成によれば、寝具へ送り込む空気に含まれることが想定される、ハウスダストや、花粉などのアレルゲンと言われる物質を、予め空気清浄装置５ｃで除去する効果が得られる。また、綿ホコリなどの比較的大きな粉塵も除去する効果があるため、下流側にある除湿装置５ａには清浄な空気ｃのみ送り込まれることとなる。除湿装置５ａには除湿剤が用いられているが、除湿剤にホコリなどが付着すると性能劣化が想定されるが、空気清浄装置５ｃの作用により、除湿剤の除湿性能がより長期に亘り確保されるものである。このように、空調装置５からは、除湿空気ａと、清浄な空気ｃが寝具へ供給されるものである。
【００２９】
（実施例５）
図５は本発明の実施例５における空調寝具の空調装置を示したものである。
【００３０】
本実施例においては、図に示すように、空調装置５は、内部に除湿装置５ａと、芳香装置５ｄを装備している。そして、芳香装置５ｄは、自由に選択して好みの芳香剤を装備することができるものであり、除湿装置５ａの上流側に配置している。なお、空調寝具としての構成は、実施例１または２と同じである。
【００３１】
上記構成によれば、使用者の好みに応じて数種類の芳香剤から好みの芳香剤を選択し、芳香を付与した空気ｄを供給することができる。これにより、除湿空気ａと併せてより快適な空気を寝具に送り込むことができるものである。
【００３２】
（実施例６）
図６は本発明の実施例６における空調寝具の空調装置を示したものである。
【００３３】
本実施例においては、図に示すように、空調装置５は、内部に除湿装置５ａと、マイナスイオン発生装置５ｅを装備している。そして、マイナスイオン発生装置５ｅは、除湿装置５ａの上流側に配置している。なお、空調寝具としての構成は、実施例１または２と同じである。
【００３４】
上記構成によれば、マイナスイオン発生装置５ｅにより発生させたマイナスイオンを多く含む空気ｅを供給することができる。これにより、除湿空気ａと併せてより快適な空気を寝具に送り込むことができるものである。
【００３５】
（実施例７）
図７は本発明の実施例７における空調寝具の空調装置を示したものである。
【００３６】
本実施例においては、図に示すように、空調装置５は、タイマー装置５ｆを別途設けて運転タイマー機能を持っているものである。なお、空調寝具としての構成は、実施例１または２と同じである。
【００３７】
上記構成によれば、予めタイマー装置５ｆをセットしておくと、使用者が使用する前から寝具や、寝具内を快適な環境にしておくことが可能となる。また使用者が使用後、装置の停止を忘れたとしても自動的に停止することができ、無駄な運転を防止する効果が期待できる。さらに、タイマー装置５ｆによる間欠運転などの異なる運転モードなども容易にプログラム可能となり、より快適なものにすることもできる。
【００３８】
（実施例８）
図８は本発明の実施例８における空調寝具を示したものである。
【００３９】
本実施例においては、図に示すように、クッション材２を覆った表面材１は、ファスナー６を有し、ファスナー６を開くことで取り外し自在としたものである。
【００４０】
上記構成によれば、ファスナー６を開くことで、一番汚れやすい表面材１ａを取り外すことができ、洗濯や、交換が可能となり、快適に長期間使用することができる。また、好みに応じて、異なるデザインの表面材への交換なども容易にできるものである。
【００４１】
上記各実施例では、空調寝具として、抱き枕を例に挙げて説明したが、これに限られるものではなく、例えば、通常の枕やマットレスなど一般の寝具にも同様に応用できるものである。
【００４２】
【発明の効果】
以上のように、本発明の空調寝具によれば、表面材で覆われた通気性を有するクッション材の内部に、表面に通気孔を有する空路を設けて、この空路に除湿空気を供給するようにしたものであり、使用者と接する表面材へ除湿空気が供給され、発汗により加湿された表面材が乾燥する際に奪われる気化熱により、使用者に充分な冷涼感を与えるとともに、表面材とクッション材により使用感を向上させたものである。
【図面の簡単な説明】
【図１】本発明の実施例１における空調寝具を示した断面図
【図２】本発明の実施例２における空調寝具を示した断面図
【図３】本発明の実施例３における空調寝具の空調装置を示す断面図
【図４】本発明の実施例４における空調寝具の空調装置を示す断面図
【図５】本発明の実施例５における空調寝具の空調装置を示す断面図
【図６】本発明の実施例６における空調寝具の空調装置を示す断面図
【図７】本発明の実施例７における空調寝具の空調装置を示す断面図
【図８】本発明の実施例８における空調寝具を示す斜視図
【符号の説明】
１  表面材
１ａ、３ａ  通気孔
２  クッション材
３  空路
５  空調装置
５ａ  除湿装置
５ｂ  温冷装置
５ｃ  空気清浄装置
５ｄ  芳香装置
５ｅ  マイナスイオン発生装置
５ｆ  タイマー装置
６  ファスナー
【図１】
2004321376.tif 000003
【図２】
2004321376.tif 000004
【図３】
2004321376.tif 000005
【図４】
2004321376.tif 000006
【図５】
2004321376.tif 000007
【図６】
2004321376.tif 000008
【図７】
2004321376.tif 000009
【図８】
2004321376.tif 000010